(57)【特許請求の範囲】
【請求項１】
上着の外衣または外衣と外衣に着脱可能にまたは縫い付けによって装着する内衣とによって構成される防火服の上着において、前記上着の本体部にそれぞれ装着される筒状の左，右袖を、左，右前身頃と後身頃の上端連結部において、ほぼ台形状の左，右の肩部を介して連結すると共に、前記前身頃の左，右上端切欠部に本体部の一部を兼用する大きさに形成したまち部の一端部を取り付け、まち部の他端部と前記肩部及び後身頃の端部とに前記左，右袖の筒状の基端部を各袖の先端部が上方に位置するようにして取り付け上着の本体部にそれぞれ装着される筒状の左，右袖を前記各袖の筒状の長手方向が首部より次第に上方に向くように傾斜させて取り付け、前記各袖の引き揚げ時に前記本体部が上方へ偏倚しないようにしたことを特徴とする防火服の上着。
【請求項２】
前記ほぼ台形状の左，右の肩部をそれぞれ伸縮性または耐衝撃性を有する材質の素材を使用したことを特徴とする請求項１記載の防火服の上着。
【請求項３】
前記防火服の上着は、後身頃の上端部を肩部に相当するように前面側まで肩縫い目の切替えラインを延出させて形成し、左，右前身頃の上端部と前面側で互いに縫着連結し、前記前身頃の左，右上端切欠部にまち部の一端部を取り付け、まち部の他端部と後身頃の端部とに左，右袖の筒状の基端部を取り付け、前記各袖の筒状の長手方向が首部より次第に上方に向くように傾斜させて取り付け、前記各袖の上方への引き揚げ時に、前記前身頃及び後身頃が上方へ偏倚しないようにしたことを特徴とする請求項１記載の防火服の上着。
【請求項４】
前記左，右袖は、ほぼ長方形状の広幅の生地と細幅の生地によって僅かに湾曲した筒状に形成され、それぞれの袖取り付け時は、細幅の生地が下方になるようにして取付け、前記各袖の下部長手方向ラインに隆起した湾曲面を形成するようにしたことを特徴とする請求項１〜３のいずれか１つに記載の防火服の上着。
【発明の詳細な説明】
【技術分野】
【０００１】
この発明は、消防隊員などが一般火災の消火活動時等に着用する防火服の改良に係り、特に着衣の機能性を向上させた防火服の上着に関する。
【背景技術】
【０００２】
従来、防火服の上着として、左，右前身頃および後身頃を有する本体部に左，右袖を取付けた外衣と内衣とを備え、外衣の本体部裏面に内衣の本体部をファスナーあるいはホックなどにより着脱可能に保持させ、外衣の左，右袖内に内衣の左，右袖を着脱可能に嵌めたものが一般に用いられている。
【０００３】
そして、外衣はアラミド繊維などの断熱性に優れた難燃繊維生地またはアラミド繊維の上面にアルミニウムの蒸着を施した非通気性の生地を使用することで、耐炎性を向上させ、内衣は、耐熱性，断熱性のすぐれた透湿防水生地を用いて構成しているのが一般的であり、改良した消防服の発明として、本件出願人が先に特願平７―１４４９２０号、特願平７―１６２５８１号として提供したものがある。
【０００４】
このような従来の防火服の上着である外衣を、図４，図５に示す。
図４は、防火服の上着の正面図、図５は同じく背面図で、外衣と内衣とから構成された上着(上衣)である。
図中、１は消防服の上着全体を示し、外衣２と内衣３とから構成されており、外衣２は、左，右前身頃４ａ，４ｂ、後身頃５、前記左，右前身頃４ａ，４ｂと後身頃５の上端部の切替えラインの縫付部６を覆う左，右肩布７とによって本体部２０が形成されると共に、衿８、左，右袖９ａ，９ｂとを備え、前記左，右袖９ａ，９ｂは前袖部１０と、上，下後袖部１１，１２及び左，右袖口布１３ａ１３ｂとからなり、左，右まち部１４ａ１４ｂを介して前記左，右前身頃４ａ，４ｂと後身頃５の袖ぐり１５にそれぞれ縫い付けられている。
【０００７】
１６，１７は前記本体部２０に取付けられた左，右前見返し、１８は後見返し、１９は前当て布である。そして、この本体部２０にポケット２１、これらのフラップ２１ａ、ベルト返し用のループ部２２、衿止め２３、および反射シート２４が付加されて構成されたものであって、生地はアラミド繊維等の難然性の織布にアルミニウムを蒸着した非通気性の生地が使用されている。
なお、２５は左，右前身頃４ａ，４ｂの対向側端部に取付けたファスナー、２６は前当て布１９の側端裏面側に取付けたベルベット式ファスナーである。
そして、前記上着１を縫製するには、図４に良く示されているように、左，右前身頃４ａ，４ｂと後身頃５とを縫い付けて本体部２０を構成し、本体部２０の上部左，右両側袖ぐり１５の周縁部には、左，右袖９ａ，９ｂの基端部を周方向の大部分に左，右まち部１４ａ，１４ｂを介して縫い付け連結してある。
左，右まち部１４ａ，１４ｂは、前身頃４ａ，４ｂの上端部に前端部を位置させ、後身頃５の上端部近くに後端部を位置させ、左，右袖９ａ，９ｂの基端部の周方向に沿う部分に左，右まち部１４ａ１４ｂを介して後側に偏して袖ぐり１５の左，右前身頃４ａ，４ｂと、後身頃５の上端部に縫い付け、左，右袖９ａ，９ｂの基端部の周方向に沿う残った部分を袖ぐり１５を形成する左，右前身頃４ａ，４ｂおよび後身頃５の上端部に直接縫い付けてある。
【００１１】
さらに、前記内衣３の本体部３ａと外衣２の本体部２０とを内，外に重ねると共に、内衣３の左，右袖３ｂを外衣２の左，右袖９ａ，９ｂ内にそれぞれ嵌め、内衣３を外衣２に対し着脱可能にしてある。
【００１２】
すなわち、内衣３の左，右前身頃（図示せず）の下端部より対向側縁および後身頃３ｃの上縁部と、外衣２の左，右前見返し１６，１７の下端部より上の対向側側部および後見返し１８の下縁部とを、一連の装着用ファスナー（図示せず）などによって内衣３の本体部３ａを外衣２の本体部２０に着脱可能に装着してある。
【発明が解決しようとする課題】
【００１３】
以上のように形成された従来の消防服の上着は、以下のような不具合がある。    １）  １）  従来の防火服の上着にあっては、特に、外衣の表面布地にアルミニウムを蒸着し、防火服の外部と内部との通気を遮断した非通気性の生地を使用し、内部への防水を行なうようにしたものであるから、生地が厚くなってしまい、着衣における機能性、特に消火作業時における左，右腕のスムーズな動作ができず、作業能力が次第に低下し、消火活動に重大な支障を招来する結果となっている。
２）  左，右前身頃４ａ，４ｂ及び後身頃５の縫い付け切替えラインである上端部が着衣者の肩の稜線部分で直接縫い付けられており、この縫い付け部分６を肩布７で覆う必要があると共に、前記両肩の稜線部分がそれぞれ首部部分より両側がそれぞれ下向きに傾斜したハ字状に裁断された形状であり、このハ字状に両側が下向きに傾斜した左，右前身頃４ａ，４ｂおよび後身頃５の上端部の袖ぐり１５に左，右袖９ａ，９ｂを直接縫い付けてあるため、左，右袖９ａ，９ｂが当然下向きに縫い付け連結されることになり、下方向の腕の揺動には何等抵抗なくスムーズに動作できるが、上方向への引き揚げ動作などにおいては、左，右まち部１４ａ，１４ｂがあっても、左，右前身頃４ａ，４ｂ及び後身頃５からなる本体部２０の側端部が、左，右袖９ａ，９ｂの上方への移動に伴って、吊り上げ偏倚させられる。
しかるに、前記本体部２０はベルトなどで身体胴部に締付けられており、前記左，右袖９ａ，９ｂの上方への移動を抑制するため、結果的に着衣者の腕の上方への引き揚げを困難にして着衣の機能性を悪くしている。
３）  前記左，右前身頃４ａ，４ｂ及び後身頃５の縫い付け切替えラインである上端部が着衣者の肩の稜線部分で直接縫い付けられ、この縫い付け部６を肩布７で覆ったものであるから、縫製が面倒であると共に、肩部分が厚手になって、着衣者の肩の回動動作がスムーズに行い難い。
【００１７】
従って、この発明では、本体部にそれぞれ装着される左，右袖を前記各袖の筒状の稜線部（上面部）が首部より次第に上方に向くように傾斜させて取り付け、前記左，右袖の上方への引き揚げ回動時に、前記本体部が前記各袖と共に、上方へ引き揚げられて偏倚しないように余裕をもたせて形成することで、着衣の機能性を向上させ着衣者の消火活動を容易にするようにした防火服の上着を提供することを目的とする。
【課題を解決するための手段】
【００１８】
請求項１の発明は、上着の外衣または外衣と外衣に着脱可能にまたは縫い付けによって装着する内衣とによって構成される防火服の上着において、前記上着の本体部にそれぞれ装着される筒状の左，右袖を、左，右前身頃と後身頃の上端連結部において、ほぼ台形状の左，右の肩部を介して連結すると共に、前記前身頃の左，右上端切欠部に本体部の一部を兼用する大きさに形成したまち部の一端部を取り付け、まち部の他端部と前記肩部及び後身頃の端部とに前記左，右袖の筒状の基端部を各袖の先端部が上方に位置するようにして取り付け上着の本体部にそれぞれ装着される筒状の左，右袖を前記各袖の筒状の長手方向が首部より次第に上方に向くように傾斜させて取り付け、前記各袖の引き揚げ時に前記本体部が上方へ偏倚しないようにしたことを特徴とする。
【００１９】
請求項２の発明は、請求項1に記載した防火服の上着において、前記ほぼ台形状の左，右の肩部をそれぞれ伸縮性または耐衝撃性を有する材質の素材を使用したことを特徴とする。
【００２０】
請求項３の発明は、請求項１に記載の防火服の上着において、前記防火服の上着は、後身頃の上端部を肩部に相当するように前面側まで肩縫い目の切替えラインを延出させて形成し、左，右前身頃の上端部と前面側で互いに縫着連結し、前記前身頃の左，右上端切欠部にまち部の一端部を取り付け、まち部の他端部と後身頃の端部とに左，右袖の筒状の基端部を取り付け、前記各袖の筒状の長手方向が首部より次第に上方に向くように傾斜させて取り付け、前記各袖の上方への引き揚げ時に、前記前身頃及び後身頃が上方へ偏倚しないようにしたことを特徴とする。
【００２１】
請求項４の発明は、請求項１〜請求項３のいずれか1つに記載の防火服の上着において、前記左，右袖は、ほぼ長方形状の広幅の生地と細幅の生地によって僅かに湾曲した筒状に形成され、それぞれの袖取り付け時は、細幅の生地が下方になるようにして取付け、前記各袖の下部長手方向ラインに隆起した湾曲面を形成するようにしたことを特徴とする。
【発明の実施の形態】
【００２５】
以下、この発明の防火服の上着について、図１〜図３を参照して詳細に説明する。
図１はこの発明の一実施形態に係る防火服の上着を示す外衣の正面図、図２は同じくその背面図、図３は同じく外衣の要部の個々のパーツを示す正面図である。
【００２７】
図中、３０は、消防服の上着全体を示し、外衣３１は、左，右前身頃３２、後身頃３３、左，右肩部３４とによって、本体部４４が形成され、衿３５と、左，右袖３６、および左，右袖３６の上腕袖部３７、下腕袖部３８、左，右袖口布３９と、前記本体部４４に縫着された左，右まち部４０、左，右見返し４１、後見返し４２、前当て布４３から構成される。さらに、前記本体部４４にポケット４５、これらのフラップ４５ａ、ベルト返し用のループ部４６、衿止め４７、および反射シート４８が付加されて構成されたものであって、生地は左，右肩部３４を除き、アラミド繊維等の難然性の織布にアルミニウムを蒸着した非通気性の生地が使用されている。
【００２８】
前記左，右の前身頃３２及び後身頃３３の上端部側面には、それぞれ正，背面側に食い込む深い切込み３２ａ，３３ａが形成され、且つ前記各上端部３２ｂ，３３ｂの首部より下方に傾斜した縫い付けの切替えラインには、ほぼ台形の形状をした前記肩部３４の前，後端部３４ａ，３４ｂが配設され、前記前身頃３２は前記上端部３２ｂの一部と、また前記後身頃３３は前記上端部３３ｂの全てがそれぞれ縫い付け連結されている。
【００２９】
なお、前記ほぼ台形の形状をした肩部３４は、台形の短辺である上辺を首部側、長辺である底辺（側端部３４ｃ）を前記各袖３６付け側とし、左右傾斜辺（前，後端部３４ａ，３４ｂ）を前記前，後身頃３２，３３の上端部側に位置させて使用する。
そして、前記肩部３４の前端部３４ａの残りの前端部３４ｂには、前記まち部４０の上端部４０ａが縫い付けられると共に、一側端部４０ｂが前記前身頃３２の深い切込み３２ａと、前記後身頃３３の切込み３３ａに連続して縫い付けられるようになっている。
【００３１】
さらに、前記肩部３４の首部から上方に傾斜させた側端部３４ｃには、筒状の袖３６の基端部３６ａの一部が縫い付けられると共に、前記まち部４０の他側端部４０ｃに残りの袖３６基端部３６ｂが縫い付けられるようになっている。
【００３２】
したがって、この発明においては、図１から明らかなように、前身頃３２と袖３６の基端部３６ａ，３６ｂとは互いに直接縫い付けられることはなく、袖３６の基端部３６ａ，３６ｂは、後身頃３３のわずかな一部と縫着されるのみで、すべて肩部３４と連結された縫製である。
【００３３】
前記左，右袖３６は、ほぼ長方形状の広幅の生地からなる上腕袖部３７と細幅の生地によって僅かに湾曲した下腕袖部３８とによって筒状に形成されると共に、その先端部にはそれぞれ左，右袖口布３９が取り付けられている。そして、袖３６の取り付け時は、細幅の生地である下腕袖部３８が下方になるようにして取り付け、前記袖３６の下腕袖部３８の長手方向ラインに隆起させた湾曲面を形成するようにしている。
【００３４】
また、前記肩部３４は、前，後身頃３２，３３、袖３６及びまち部４０を構成する生地とは異なった、伸縮性の優れたニットなどのバイアス織布の素材を使用しているが、耐衝撃性のあるフェルトなどの不織布を用いても良いことは勿論である。
【００３５】
図３に、この発明の実施形態において使用される外衣の要部の個々のパーツを示している。
なお、前記実施形態では、防火服の上着３０を外衣３１単独のものについて説明したが、前述の外衣３１と同様な前，後身頃，肩部，まち部，及び左，右袖を備えたほぼ相似形で若干小さくした内衣を、前記外衣と対応させて外衣の内部に着脱可能に取り付けて使用することも勿論可能である。
【００３７】
以上のように構成されたこの発明の防火服の上着は、火災現場で消火活動を行う場合、従来の上着のように、左，右袖３６が、左，右前身頃４ａ，４ｂ及び後身頃５の縫い付けの切替えラインである上端部が着衣者の肩の稜線部分で直接縫い付けられたものではなく、また両肩の稜線部分がそれぞれ首部分より両側が下向きに傾斜したハ字状に裁断した形状とはせず、まち部を介して前記各袖の筒状の長手方向が首部より次第に上方に向くように傾斜させて取り付けてあるため、前記左，右袖の上方への引き揚げ回動時に、前，後身頃部が各袖と共に吊り上げられることがなく、たとえ、ベルトなどで身体胴部に本体部が締付けられていた場合であっても、前記各袖と共に、本体部が上方への引き揚げによって偏倚するようなことがなく前記左，右袖のみの上下動が容易になり、活動が極めてスムーズに行うことができ、作業活動が向上できる。
【００３８】
また、従来のように肩の切替えラインの縫い付け部を肩布で覆った構成でないために縫製が容易であると共に、肩部分が厚手になって、着衣者の肩の上下及び回動動作がスムーズに行えないということが解消できる。
また、前記実施形態に係る防火服の上着は、前，後身頃の上端部を伸縮性，耐衝撃性のある材質からなる肩部を介して縫着した構成であるため、着衣者の腕の上方への揺動が極めて容易であり、着衣の機能性を向上させることができる。
【００４０】
なお、前記実施形態においては、前，後身頃の上端部を肩部を介して縫着するようにしたが、変形例として、後身頃の上端部を前身頃側まで縫い付けの切替えラインを延出して前身頃前面側に位置させることで、前記肩部を省略することも可能である。しかしこの変形例の場合は、上着の肩部における伸縮性、耐衝撃性の点で多少異なる。
【００４１】
また前述の実施形態では、左，右前身頃と、後身頃と、まち部とにそれぞれ分割されたパーツによって、上着の本体部を形成するようにしたが、前記左，右前身頃と、後身頃と、まち部とを一枚の生地から裁断することで、本体部を形成したり、後身頃の縦方向中央部に縫い付けの切替えラインが位置するように、左前身頃，左まち部，左後身頃と、右前身頃，右まち部，右後身頃と、から成る二枚生地によって本体部を形成するようにしても良いことは勿論である。
【発明の効果】
【００２２】
以上説明したように、この発明に係る防火服の上着は、上着の外衣または外衣と外衣に着脱可能にまたは縫い付けによって装着する内衣とによって構成される防  火服の上着において、前記上着の本体部にそれぞれ装着される筒状の左，右袖を、左，右前身頃と後身頃の上端連結部において、ほぼ台形状の左，右の肩部を介して連結すると共に、前記前身頃の左，右上端切欠部に本体部の一部を兼用する大きさに形成したまち部の一端部を取り付け、まち部の他端部と前記肩部及び後身頃の端部とに前記左，右袖の筒状の基端部を各袖の先端部が上方に位置するようにして取り付け上着の本体部にそれぞれ装着される筒状の左，右袖を前記各袖の筒状の長手方向が首部より次第に上方に向くように傾斜させて取り付け、前記各袖の引き揚げ時に前記本体部が上方へ偏倚しないようにしたので、前記左，右袖の上方への回動時に本体部が、例えベルトなどで身体胴部に締付けられていた場合であっても、前記各袖と共に、上方へ引き揚げられて偏倚するようなことがなく着衣者の作業活動が余裕をもって極めてスムーズに行うことができ、着衣者の腕の上方への揺動を困難にして着衣の機能性を損ねることがない。
また、従来のように肩の切替えラインの縫い付け部を肩布で覆った構成でないために縫製が容易であると共に、肩部分が厚手になって、着衣者の肩の上下及び回動動作がスムーズに行えないということが解消できる。
【００２４】
さらにまた、前，後身頃の上端部を伸縮性，耐衝撃性のある材質からなる素材の肩部を介して縫着した構成であるため、着衣者の腕の上方への揺動が極めて容易となり、着衣の機能性をさらに向上させることができる。
【図面の簡単な説明】
【００４２】
【図１】この発明の一実施形態に係る防火服の上着である外衣を示した正面図。
【図２】図１に示した防火服の上着である外衣の背面図。
【図３】図１に示した防火服の上着の要部のパーツを示す正面図。
【図４】従来例の防火服の上着である外衣と内衣と組合わせた一部切欠き正面図。
【図５】図４に示した防火服の上着である外衣の背面図。
【符号の説明】
【００４３】
３０    消防服の上着
３１    外衣
３２    左，右前身頃
３３    後身頃
３４    左，右肩部
３５    衿
３６    左，右袖
３７    上腕袖部
３８    下腕袖部
３９    左，右袖口布
４０    左，右まち部
４１    左，右前見返し
４２    後見返し
４３    当て布
４４    本体部
【図１】
0003616288.tif 000002
【図２】
0003616288.tif 000003
【図３】
0003616288.tif 000004
【図４】
0003616288.tif 000005
【図５】
0003616288.tif 000006